(57)【要約】【課題】インスツルメントホース内に滞留されているエアーを迅速に加熱し、瞬時に、所望する温風が噴射されるようにしたインスツルメントホースを提供する。【解決手段】インスツルメントホース９は、一端がユニット本体（ワークテーブル）２に連結され、他端が歯科治療用インスツルメント８に連結され、ユニット本体２からのエアーを歯科治療用インスツルメント８に伝送する。インスツルメントホース９内に加熱手段を有し、該加熱手段によって前記インスツルメントホース内の空気を加熱する。好ましくは、インスツルメントホース９内にエアーを通すチューブ９ａを設け、このチューブ９ａ内に加熱手段９ａ1を設ける。【選択図】図１
2007143965.tif 000002
【特許請求の範囲】
【請求項１】
一端がユニット本体に連結され、他端が歯科治療用インスツルメントに連結され、前記ユニット本体からのエアーを前記歯科治療用インスツルメントに伝送するインスツルメントホースであって、該インスツルメントホース内に加熱手段を有し、該加熱手段によって前記インスツルメントホース内の空気を加熱することを特徴とする歯科治療用インスツルメントホース。
【請求項２】
前記インスツルメントホース内にエアーを通すチューブを有し、該チューブ外に前記加熱手段が配設されていることを特徴とする請求項１に記載の歯科治療用インスツルメントホース。
【請求項３】
前記インスツルメントホース内にエアーを通すチューブを有し、該チューブ内に前記加熱手段が配設されていることを特徴とする請求項１又は２に記載の歯科治療用インスツルメントホース。
【請求項４】
前記加熱手段は前記インスツルメントホースの略全長にわたって配設されていることを特徴とする請求項１乃至３のいずれかに記載の歯科治療用インスツルメントホース。
【請求項５】
前記加熱手段は電熱線であることを特徴とする請求項１乃至４のいずれかに記載の歯科治療用インスツルメントホース。
【発明の詳細な説明】
【技術分野】
【０００１】
本発明は、歯科治療用インスツルメントホース、より詳細には、歯科治療において、治療部位に温風を吹き付けて該治療部位の水分を短時間で蒸発させ、該治療部位を短時間で乾燥させることのできる歯科治療用インスツルメントホースに関する。
【背景技術】
【０００２】
図２は、本発明が適用されるインスツルメントホースを有する歯科治療ユニットの一例を示す全体構成図で、歯科治療ユニットは、治療椅子１，ワークテーブル２，スピットン３，無影灯４，インスツルメントホルダ５，フットスイッチ６，アシスタントインスツルメントホルダ７，ハンドピース（インスツルメント）８，インスツルメントホース９等から成り、インスツルメントホルダ５には、歯科治療において術者が使用する種々のハンドピース、例えば、エアータービン、マイクロエンジン、超音波スケーラ、マルチシリンジ等のハンドピース８が収納されており、周知のように、歯科治療に当り、患者は椅子１に座り、頭を安頭台に固定して治療を受ける。治療中、術者は治療椅子１を上下動，倒起動，傾斜動等させて、患者を治療しやすい姿勢にして治療を行う。
【０００３】
上述のように、歯科治療に当り、術者は、インスツルメントホルダ５より施術に必要なインスツルメント（ハンドピース）８を取り出して歯科治療を行うが、ハンドピースの中には、該ハンドピースのノズルからエアーを噴射して治療部位を乾燥させて、患部の水分をとって歯科治療をしやすくしたものがある。
【０００４】
しかし、冷たいエアーを患部（例えば、歯牙）に吹きつけると、知覚過敏の患者等においては、苦痛を感じる。そのため、従来は、ハンドピース内に加熱手段を有し、この加熱手段にてエアーを噴射する前に加熱し、温かいエアーを噴射するようにしている。
【発明の開示】
【発明が解決しようとする課題】
【０００５】
上述のように、歯科治療用ハンドピースにおいて、特に、シリンジは、温められたエアーを噴射して治療部位を乾燥させる機能を有しているが、噴射するエアーを温めるために、シリンジ内に加熱手段を有し、このシリンジ内の加熱手段により、ユニット本体から送られてくるエアーを加熱するようにしている。しかし、シリンジ内に配設される加熱手段は、小型のものでなければならず、そのため、従来は、セラミックヒータ等の小型の加熱手段をシリンジ（ハンドピース）内に設けていた。しかし、小型の加熱手段は、立ち上り時間が長く、従って、温風になるまでの時間が長く、瞬時に温風を放出することができなかった。そのため、温風になるまで治療を待たなければならず、作業効率が悪かった。
【０００６】
また、エアー加熱手段をユニット本体側に設けるようにして、大型のエアー加熱手段の使用を可能にし、もって、短時間で、温風を放出可能にした歯科治療ユニットも提案されている。しかし、この場合、インスツルメントホース内に滞留されているエアーを加熱することはできず、これらインスツルメントホース内に残留されているエアーを放出してからでないと、温風を放出することはできず、温風を放出するまでに時間がかかった。
【０００７】
本発明は、上述のごとき実情に鑑みてなされたもので、インスツルメントホース内に滞留されているエアーを迅速に加熱し、瞬時に、所望する温風が噴射されるようにしたインスツルメントホースを提供することを目的としてなされたものである。
【課題を解決するための手段】
【０００８】
請求項１の発明は、一端がユニット本体に連結され、他端が歯科治療用インスツルメントに連結され、前記ユニット本体からのエアーを前記歯科治療用インスツルメントに伝送するインスツルメントホースであって、該インスツルメントホース内に加熱手段を有し、該加熱手段によって前記インスツルメントホース内の空気を加熱することを特徴としたものである。
【０００９】
請求項２の発明は、請求項１の発明において、前記インスツルメントホース内にエアーを通すチューブを有し、該チューブ外に前記加熱手段が配設されていることを特徴としたものである。
【００１０】
請求項３の発明は、請求項１又は２の発明において、前記インスツルメントホース内にエアーを通すチューブを有し、該チューブ内に前記加熱手段が配設されていることを特徴としたものである。
【００１１】
請求項４の発明は、請求項１乃至３のいずれかの発明において、前記加熱手段は前記インスツルメントホースの略全長にわたって配設されていることを特徴としたものである。
【００１２】
請求項５の発明は、請求項１乃至４のいずれかの発明において、前記加熱手段は電熱線であることを特徴としたものである。
【発明の効果】
【００１３】
本発明によると、インスツルメントホース内に滞留しているエアーを迅速に加熱することができるので、短時間で温風を作ることができ、歯科治療の作業を効率よく行うことができる。たとえ、間違えて、多少早めにエアーを放射したとしても、その量はハンドピース内に残留しているエアー分だけで極くわずかであり、患者に苦痛を与えるようなことはない。
【発明を実施するための最良の形態】
【００１４】
図１は、本発明による歯科治療ユニットの一実施例を説明するための要部概略構成図で、図中、２はユニット本体側に設けられたワークテーブル、８はエアー放出ノズルを有するハンドピース（例えば、シリンジ）、９はユニット本体２側とハンドピース８を連結し、ユニット本体２側からのエアーをハンドピース８に伝送するための機能を有するインスツルメントホースで、本発明においては、インスツルメントホース９内に加熱手段を設けておき、この加熱手段によってインスツルメントホース９内のエアーを温めるようにしたものである。
【００１５】
好ましくは、図示のように、インスツルメントホース９内にエアー供給チューブ９ａを設けておき、このエアー供給チューブ９ａ内の加熱手段１０によって、インスツルメント８から噴射されるエアーを加熱するようにする。なお、この加熱手段１０は、エアー供給チューブ内のエアーを加熱できるものならば、エアー供給チューブ内又はチューブ外のいずれでもよく、その構成も、エアー供給チューブに沿って飛び飛びに複数箇所で加熱するように構成したものでよいが、効率的にかつ均一温度に加熱するためには、図１に拡大断面図で示すように、インスツルメントホース９内に設けられたエアー供給チューブ９ａ内に、該エアー供給チューブ９ａの略全長にわたって加熱手段、より好ましくは、電熱線９ａ1を設けるようにするとよい。更には、該加熱手段によって、インスツルメントホース内の空気を予め熱しておくことも可能で、このようにしておくと、より迅速に適切な温度に温められたエアーを放出することができる。
【図面の簡単な説明】
【００１６】
【図１】本発明による歯科治療用インスツルメントホースの一例を説明するための要部概略構成図である。
【図２】本発明が適用される歯科治療用インスツルメントホースの一使用例を示すユニットの全体概略構成図である。
【符号の説明】
【００１７】
１…治療椅子、２…歯科治療ユニット本体（ワークテーブル）、５…インスツルメントホルダ、８…ハンドピース（シリンジ）、９…インスツルメントホース、９ａ…エアー供給チューブ、９ａ1…電熱線、１０…エアー加熱手段。
【図１】
2007143965.tif 000003
【図２】
2007143965.tif 000004